(57)【要約】【課題】上水側への洗剤の逆流を確実に防止する。【解決手段】上水を加熱して湯水を生成する給湯器６と、浴槽１と、洗剤タンク４１と、洗剤タンク４１から供給される洗剤と給湯器６から供給される湯水とを混合する洗剤混合部５１と、浴槽１に洗浄液を噴射させる洗浄ノズル７と、洗浄ノズル７から洗浄液を噴射させるポンプ４８と、洗剤混合部５１と洗浄ノズル７とを接続する洗浄管４３とを備える浴槽洗浄システムにおいて、洗剤混合部５１と給湯器６との間に、補水口４７１、オーバーフロー口４７３、及び流出口４７２を有するタンクを備え、補水口４７１とオーバーフロー口４７３との間に吐水口空間を形成して逆流を防止する逆流防止手段４７を設ける。【選択図】図１
2018023471.tif 000002
【特許請求の範囲】
【請求項１】
上水を加熱して湯水を生成する給湯器と、
浴槽と、
洗剤を貯留する洗剤タンクと、
洗剤タンクから供給される洗剤と給湯器から供給される湯水とを混合して洗浄液を生成する洗剤混合部と、
浴槽に洗浄液を噴射させる洗浄ノズルと、
洗剤混合部と洗浄ノズルとを接続する洗浄管と、
給湯器からの湯水を洗剤混合部に導く湯水供給管と、
洗剤混合部と給湯器との間に設けられた逆流防止手段と、
洗浄ノズルと逆流防止手段との間に設けられ、洗浄ノズルから洗浄液を噴射させるポンプと、を備える浴槽洗浄システムであって、
逆流防止手段は、上流側の湯水供給管と接続され、給湯器から供給される湯水を吐出する補水口、補水口よりも下方に位置するオーバーフロー口、及びオーバーフロー口よりも下方に位置し、下流側の湯水供給管と接続され、湯水を流出する流出口を有するタンクを備え、補水口とオーバーフロー口との間に吐水口空間を形成して逆流を防止する構成を備える浴槽洗浄システム。
【請求項２】
請求項１に記載の浴槽洗浄システムは、さらに
逆流防止手段と給湯器との間に設けられ、給湯器から供給される湯水と上水側から供給される水とを混合する湯水混合部と、
逆流防止手段と湯水混合部とを接続する上流側の湯水供給管から分岐し、吐出口が浴槽の上面よりも上方に位置する出湯栓と接続された湯張り用湯水供給管と、
湯水混合部で混合された湯水を逆流防止手段側または出湯栓側に切り替える流路切替部と、を備える浴槽洗浄システム。
【発明の詳細な説明】
【技術分野】
【０００１】
本発明は、浴槽を自動で洗浄する浴槽洗浄機能を備えた浴槽洗浄システムに関する。特に、本発明は、浴槽洗浄システムにおける上水への洗剤の逆流防止に関する。
【背景技術】
【０００２】
従来、浴槽内へ洗浄液を噴射させて浴槽の内壁面に付着した汚れを洗い落とす浴槽洗浄機能を備えた浴槽洗浄システムが知られている。この種の浴槽洗浄システムでは、例えば、給湯器で上水を加熱した湯水と洗剤とを洗剤混合部で混合させて洗浄液を生成し、洗浄ノズルに洗浄液を供給している。それゆえ、給湯器から洗剤混合部へ湯水を供給する湯水供給管を介して洗浄液が逆流した場合、上水が汚染される虞がある。そのため、湯水と洗剤とを混合する洗剤混合部よりも上流側の湯水供給管に逆止弁を設けることが提案されている（例えば、特許文献１〜２）。
【先行技術文献】
【特許文献】
【０００３】
【特許文献１】特開２００３−６１８５０号公報
【特許文献２】特開平１１−２９９６７１号公報
【発明の概要】
【発明が解決しようとする課題】
【０００４】
しかしながら、特許文献１及び２のような逆止弁では、弁故障が生じると、逆流を防止できないという問題がある。
【０００５】
本発明は上記課題を解決するものであり、本発明の目的は、浴槽洗浄システムにおいて、上水側への洗剤の逆流を確実に防止することにある。
【課題を解決するための手段】
【０００６】
本発明によれば、
上水を加熱して湯水を生成する給湯器と、
浴槽と、
洗剤を貯留する洗剤タンクと、
洗剤タンクから供給される洗剤と給湯器から供給される湯水とを混合して洗浄液を生成する洗剤混合部と、
浴槽に洗浄液を噴射させる洗浄ノズルと、
洗剤混合部と洗浄ノズルとを接続する洗浄管と、
給湯器からの湯水を洗剤混合部に導く湯水供給管と、
洗剤混合部と給湯器との間に設けられた逆流防止手段と、
洗浄ノズルと逆流防止手段との間に設けられ、洗浄ノズルから洗浄液を噴射させるポンプと、を備える浴槽洗浄システムであって、
逆流防止手段は、上流側の湯水供給管と接続され、給湯器から供給される湯水を吐出する補水口、補水口よりも下方に位置するオーバーフロー口、及びオーバーフロー口よりも下方に位置し、下流側の湯水供給管と接続され、湯水を流出する流出口を有するタンクを備え、補水口とオーバーフロー口との間に吐水口空間を形成して逆流を防止する構成を備える浴槽洗浄システムが提供される。
【０００７】
上記浴槽洗浄システムによれば、洗剤と湯水とを混合する洗剤混合部と、上水が供給される給湯器との間には吐水口空間を利用した逆流防止手段が設けられており、湯水が貯留されるタンク内へ大量の逆流が生じた場合でも、オーバーフロー口よりも上方には液面が上昇しないから、オーバーフロー口の上方に吐水口空間を介して配設される補水口へ洗剤が侵入せず、給湯器と接続される湯水供給管への洗剤の混入を確実に防止できる。また、洗浄ノズルと逆流防止手段との間にはポンプが設けられているから、吐水口空間を利用した逆流防止手段によって給湯器と接続される湯水供給管が縁切りされていても、湯水を逆流防止手段から洗浄ノズルに円滑に供給できる。このため、給水圧の低い低水圧地域においても、所定の噴射流量で洗浄液やすすぎ用の湯水を浴槽へ供給できる。
【０００８】
好ましくは、上記浴槽洗浄システムは、さらに、
逆流防止手段と給湯器との間に設けられ、給湯器から供給される湯水と上水側から供給される水とを混合する湯水混合部と、
逆流防止手段と湯水混合部とを接続する上流側の湯水供給管から分岐し、吐出口が浴槽の上面よりも上方に位置する出湯栓と接続された湯張り用湯水供給管と、
湯水混合部で混合された湯水を逆流防止手段側または出湯栓側に切り替える流路切替部と、を備える。
【０００９】
上記浴槽洗浄システムによれば、逆流防止手段と給湯器との間に、給湯器から供給される湯水と上水側から供給される水とを混合する湯水混合部が設けられているから、温度変更機能を有さない給湯器でも所定の温度の湯水を供給できる。このため、湯張り機能及び浴槽洗浄機能を付与できる。さらに、浴槽へ湯張り用の湯水を供給する湯張り用湯水供給管は吐出口が浴槽の上面よりも上方に位置する出湯栓と接続されているから、浴槽水の上流側への逆流も確実に防止できる。
【発明の効果】
【００１０】
以上のように、本発明によれば、洗剤混合部と給湯器との間に吐水口空間を利用した逆流防止手段が設けられているから、上水側への洗剤の逆流を確実に防止できる。
【図面の簡単な説明】
【００１１】
【図１】図１は、本発明の実施の形態１に係る浴槽洗浄システムの概略構成図である。
【図２】図２は、本発明の実施の形態２に係る浴槽洗浄システムの概略構成図である。
【図３】図３は、本発明の実施の形態３に係る浴槽洗浄システムの概略構成図である。
【図４】図４は、本発明の実施の形態４に係る浴槽洗浄システムの概略構成図である。
【図５】図５は、本発明の実施の形態５に係る浴槽洗浄システムの概略構成図である。
【発明を実施するための形態】
【００１２】
図１は、実施の形態１に係る浴槽洗浄システムの一例を示す概略構成図である。この浴槽洗浄システムは、浴槽１と、浴槽１を自動洗浄するための洗浄ユニット４と、湯張り、追焚き及び給湯運転や、洗浄運転時に洗浄ユニット４に湯水を供給するための給湯器６と、風呂リモコン１０ａと、洗浄リモコン１０ｂとを備える。
【００１３】
浴槽１の底部には浴槽水を排水するための排水栓２と、洗浄液を噴射する洗浄ノズル７とが設けられており、浴槽１の内壁側面には、湯張りや追焚きをするための湯水が供給される循環金具（湯張りアダプタ）５が設けられている。排水栓２は、図示しない排水栓駆動部により開閉されるように構成されている。
【００１４】
図示しないが、給湯器６は、ガスバーナと、給湯熱交換器と、風呂熱交換器とを備える。ガスバーナには、ガス供給管７８が接続されている。給湯熱交換器には、給水源から上水を供給するための給水管６３と、給湯栓６５や洗浄ユニット４に給湯器６から加熱された湯水を供給する給湯管６６とが接続されている。風呂熱交換器には、循環金具５に加熱された湯水を供給する往き管６１と、循環金具５から湯水を戻す戻り管６２とが接続されている。また、給湯器６内において、戻り管６２は、給湯管６６から分岐する湯張り用バイパス管が接続されており、湯張り用バイパス管には、湯水の供給を遮断可能な注湯電磁弁や湯水の流量を調節する湯量センサを備えた湯水混合部が介設されている。なお、本実施の形態では、給湯器６はガス式給湯器が用いられているが、電気式給湯器やヒートポンプ式給湯器が用いられてもよい。
【００１５】
給湯管６６は、給湯栓６５側と洗浄ユニット４側とに分岐しており、洗浄ユニット４側に分岐する上流側の湯水供給管６６ａには、上流側から順に、補水用電磁弁４６、及び吐水口空間を利用する逆流防止部４７が設けられており、逆流防止部４７よりも下流側の湯水供給管６６ｂには、ポンプ４８、下流側電磁弁４９、逆止弁５０、及びベンチュリ式の洗剤混合部５１が設けられている。そして、洗剤混合部５１と浴槽１に設けられた洗浄ノズル７とは、洗浄管４３によって接続されている。
【００１６】
逆流防止部４７は、上流側の湯水供給管６６ａから供給される湯水を一定量貯留するタンク４７０を備える。タンク４７０の上部には、上流側の湯水供給管６６ａから供給される湯水が吐出する補水口４７１と、補水口４７１よりも下方に位置するオーバーフロー口４７３とが設けられており、タンク４７０の底部には、ポンプ４８にタンク４７０内から下流側の湯水供給管６６ｂを介して湯水を供給する流出口４７２が設けられている。従って、この逆流防止部４７では、補水口４７１とオーバーフロー口４７３との間に吐水口空間が形成される。
【００１７】
タンク４７０内には、貯留されている湯水の量を検知するための長さの異なる高低水位電極４７４，４７５が挿入されている。高水位電極４７４は、タンク４７０内に湯水が貯留された際、液面がオーバーフロー口４７３よりも下方に位置するように配設されている。従って、補水用電磁弁４６が開弁されて、補水口４７１から湯水がタンク４７０内に吐出されると、高水位電極４７４で検知される水位まで湯水が貯留される。また、水位電極４７４，４７５の検知不良が生じた場合や、下流側電磁弁４９及び逆止弁５０の弁故障により下流側の湯水供給管６６ｂから湯水が逆流してきた場合、高水位電極４７４よりも上方まで液面が上昇するが、補水口４７１とオーバーフロー口４７３との間には吐水口空間が形成されており、オーバーフロー口４７３から排水されるため、補水口４７１まで液面が上昇することはない。
【００１８】
逆流防止部４７よりも下流側の湯水供給管６６ｂと接続された洗剤混合部５１には、洗剤タンク４１からの洗剤を洗剤混合部５１に導く洗剤導入管４４と、洗剤混合部５１で生成された洗浄液を洗浄ノズル７に導く洗浄管４３とが接続されており、洗剤導入管４４には、洗剤混合部５１への洗剤の供給を調整する洗剤弁４２が設けられている。従って、洗剤弁４２が開弁された状態で、ポンプ４８を駆動してタンク４７０に貯留された湯水が下流側の湯水供給管６６ｂから洗剤混合部５１に供給されると、湯水が洗剤混合部５１を通過する際に生じる負圧によって、洗剤と湯水とが混合されて洗浄液が生成され、洗浄管４３を通って、洗浄ノズル７から洗浄液が噴射され、浴槽１の洗浄が行われる。また、洗剤弁４２が閉弁された状態で、同様にポンプ４８を駆動してタンク４７０に貯留された湯水を下流側の湯水供給管６６ｂから洗剤混合部５１に供給すると、洗浄ノズル７から湯水のみが噴射され、浴槽１の予備洗浄やすすぎが行われる。このようにベンチュリ式の洗剤混合部５１の場合、洗浄に必要な量のみの洗浄液を生成できるため、洗剤の無駄が少ないが、ベンチュリ式の洗剤混合部５１の代わりにタンク４７０に洗剤導入管４４及び洗剤弁４２を接続し、逆流防止部４７と洗剤混合部５１とを兼ねた構成としてもよい。
【００１９】
図示しないが、給湯制御回路８には、風呂リモコン１０ａ、元ガス電磁弁、比例弁、注湯電磁弁や、給水センサ、湯量センサ等が電気配線を介して接続されている。また、洗浄制御回路９には、洗浄リモコン１０ｂ、洗剤弁４２、補水用電磁弁４６、ポンプ４８、下流側電磁弁４９、水位電極４７４，４７５、排水栓駆動部等が接続されている。
【００２０】
次に、実施の形態１の浴槽洗浄システムにおける洗浄運転について説明する。なお、給湯器６は、給水管６３に設けられた給水センサ（図示せず）で検知される水量が所定水量以上になるとガスバーナを点火させ、給水センサで検知される水量が所定水量未満になるとガスバーナを消火させる点消火制御を行うように構成されている。
【００２１】
例えば、浴槽１の使用後に、使用者が洗浄リモコン１０ｂの洗浄スイッチ（図示せず）をオン操作すると、排水栓２が開栓され、浴槽１内の浴槽水が排水される。排水栓２が開栓されてから所定の排水時間が経過すると、洗浄制御回路９は、補水用電磁弁４６を開弁させる。すると、給水圧によって給水管６３から給湯器６に上水が供給され、図示しない給水センサで所定水量以上の水量が検知されると、給湯制御回路８は、ガスバーナを点火させて給湯運転を開始させ、給湯管６６から洗浄用の所定温度の湯水を出湯させる。これにより、上流側の湯水供給管６６ａから供給される湯水がタンク４７０に貯留される。
【００２２】
次いで、高水位電極４７４までの湯水の貯留が検知されると、補水用電磁弁４６を閉弁させるとともに、下流側電磁弁４９を開弁させ、ポンプ４８を駆動させて、洗浄ノズル７から浴槽１内に湯水のみを噴射させる予備洗浄工程が実行される。予備洗浄工程中に低水位電極４７５までの水位低下を検知すると、再び補水用電磁弁４６を開弁させ、高水位電極４７４までの補水を行う。
【００２３】
所定の予備洗浄時間が経過すると、ポンプ４８を停止させるとともに、下流側電磁弁４９を閉弁させ、所定の予備洗浄待機時間が経過すると、ポンプ４８を駆動させるとともに、下流側電磁弁４９及び洗剤弁４２を開弁させる。これにより、洗剤混合部５１に洗剤及び湯水が供給されて洗浄液が生成され、洗浄ノズル７から浴槽１内に洗浄液を噴射させる洗浄工程が実行される。本工程においても、低水位電極４７５までの水位低下を検知すると、補水用電磁弁４６を開弁させ、高水位電極４７４までの補水を行う。
【００２４】
所定の洗浄時間が経過すると、ポンプ４８を停止させるとともに、下流側電磁弁４９及び洗剤弁４２を閉弁させ、所定の洗浄待機時間が経過すると、ポンプ４８を駆動させるとともに、下流側電磁弁４９を開弁させ、予備洗浄と同様にして、すすぎ工程が実行される。補水用電磁弁４６の開閉動作も予備洗浄工程と同様にして行われる。なお、洗浄及びすすぎ工程をそれぞれ、複数回実行させてもよいし、予備洗浄を行うことなく、洗浄及びすすぎ工程のみを実行させてもよい。
【００２５】
所定のすすぎ時間が経過すると、ポンプ４８を停止させるとともに、下流側電磁弁４９を所定時間、開弁させ、タンク４７０内の湯水を浴槽１内に排水させた後、下流側電磁弁４９を閉弁させて、洗浄運転を終了させる。なお、タンク４７０に排水管及び排水弁を設け、すすぎ時間経過後に、排水弁を開弁させてタンク４７０内の水を排水させてもよい。
【００２６】
以上のように、実施の形態１の浴槽洗浄システムでは、補水口４７１とオーバーフロー口４７３との間で吐水口空間が形成されるタンク４７０を有する逆流防止部４７を設けているから、補水口４７１に接続されている上流側の湯水供給管６６ａをタンク４７０内に貯留されている湯水と縁切りすることができる。これにより、洗剤混合部５１よりも上流側に洗剤が逆流してタンク４７０内に洗剤が混入しても、上水への洗剤の混入を確実に防止できる。また、汚れた浴槽水がタンク４７０に逆流しても、上水への汚染を確実に防止できる。
【００２７】
さらに、逆流防止部４７によって上流側の湯水供給管６６ａと下流側の湯水供給管６６ｂとは縁切りされているが、逆流防止部４７と洗浄ノズル７との間にはポンプ４８が設けられているから、給水圧の低い低水圧地域でも、所定の噴射流量で洗浄液やすすぎ用の湯水を洗浄ノズル７に供給できる。
【００２８】
図２は、実施の形態２に係る浴槽洗浄システムの一例を示す概略構成図である。この浴槽洗浄システムは、排水栓２及び洗浄ノズル７のみが設けられた浴槽１ａと、洗浄ユニット４ａと、湯張り及び給湯運転や、洗浄運転時に洗浄ユニット４ａに湯水を供給するための給湯器６ａと、湯張りスイッチ（図示せず）を備えた洗浄リモコン１０ｃとを備える。なお、実施の形態１と同一の構成については、同一の引用番号を使用して説明を省略する。
【００２９】
実施の形態２における給湯器６ａは、実施の形態１の給湯器６と異なり、温度変更機能を有しておらず、６０℃や８０℃などの一定の高温の湯水を供給する構成を有しており、洗浄ユニット４ａが、給湯器６ａから供給される湯水と上水側から供給される水とを混合して、所定温度の湯水を生成する湯水混合部８０を備える。従って、給湯器６ａには、給水源から上水を供給するための給水管６３と、給湯栓６５や洗浄ユニット４ａに加熱された湯水を供給する給湯管６６と、ガス供給管７８のみが接続されており、浴槽１ａへ湯水を供給する往き管及び戻り管は接続されていない。なお、本実施の形態においても、給湯器６ａはガス式給湯器に限定されず、電気式給湯器やヒートポンプ式給湯器が用いられてもよい。
【００３０】
洗浄ユニット４ａにおける逆流防止部４７と給湯器６ａとの間には、給湯管６６から分岐する上流側の第１湯水供給管６６ａと、給水管６３から分岐する温調用給水管６３ａとがそれぞれ逆止弁８６，８７を介して接続された湯水混合部８０が配設されている。より詳細には、湯水混合部８０は、上流側の第１湯水供給管６６ａに設けられた湯量調整弁８１と、温調用給水管６３ａに設けられた水量調整弁８２とを備えており、これらの下流端が合流して上流側の第２湯水供給管６６ｃが構成され、第２湯水供給管６６ｃに混合した湯水の温度を検知する温度センサ８３が設けられている。
【００３１】
上流側の第２湯水供給管６６ｃは、補水用電磁弁４６を介して、逆流防止部４７に接続されている。また、湯水混合部８０と逆流防止部４７とを接続する上流側の第２湯水供給管６６ｃからは、湯張り用湯水供給管６６ｄが分岐しており、湯張り用湯水供給管６６ｄは、湯張り用電磁弁９０を介して、吐出口が浴槽１ａの上面よりも上方に位置する框水栓８５と接続されている。従って、この浴槽洗浄システムでは、補水用電磁弁４６及び湯張り用電磁弁９０により流路切替部が構成されている。
【００３２】
次に、実施の形態２の浴槽洗浄システムにおける洗浄運転について説明する。実施の形態１と同様に、洗浄リモコン１０ｃで洗浄スイッチ（図示せず）がオン操作されると、排水栓２が開栓され、所定時間が経過すると、洗浄ユニット４ａ側のみに湯水混合部８０から湯水が供給されるように補水用電磁弁４６のみを開弁させる。そして、給湯器６ａのガスバーナを点火させて給湯運転を開始させる。給湯運転が開始すると、湯水混合部８０において、温度センサ８３にて検知された湯水の温度が所定の温度となるように湯量調整弁８１及び水量調整弁８２の開度が調節され、上流側の温調用給水管６３ａ、第１及び第２湯水供給管６６ａ，６６ｃを介してタンク４７０に所定の温度に調節された湯水が供給される。タンク４７０へ湯水が供給された後の動作は、実施の形態１と同様である。
【００３３】
次に、実施の形態２の浴槽洗浄システムにおける湯張り運転について説明する。湯張り運転を実行する場合、洗浄リモコン１０ｃの湯張りスイッチ（図示せず）がオン操作されると、排水栓２が閉栓されるとともに、框水栓８５側のみに湯水混合部８０から湯水が供給されるように湯張り用電磁弁９０のみを開弁させる。そして、上記と同様に、給湯器６ａで給湯運転が開始され、湯水混合部８０において、温度センサ８３にて検知された湯水の温度が所定の温度となるように湯量調整弁８１及び水量調整弁８２の開度が調節され、湯張り用湯水供給管６６ｄから框水栓８５に湯水が供給される。従って、実施の形態２の浴槽洗浄システムによれば、洗浄ノズル７や框水栓８５から浴槽１ａ内に供給される洗浄液や湯水の温度を適宜変更できるから、出湯温の温度変更機能を備えていない給湯器６ａを用いても、湯張り機能及び浴槽洗浄機能を備えた浴槽洗浄システムを構築できる。また、給水圧によって湯張り用の大量の湯水を浴槽１ａに供給できるから、能力の大きなポンプを別途、設ける必要もない。
【００３４】
また、湯張り用湯水供給管６６ｄは、タンク４７０内に貯留されている湯水と縁切りされた上流側の第２湯水供給管６６ｃから分岐させているから、タンク４７０に洗剤や汚れた浴槽水が逆流しても、湯張り用湯水供給管６６ｄに供給される湯水に洗剤や浴槽水が混入することもない。
【００３５】
また、框水栓８５の吐出口は、浴槽１ａの上面よりも上方に位置し、吐出口と浴槽１ａ内の湯水との間には吐水口空間が形成されるから、湯張り用湯水供給管６６ｄを浴槽１ａと確実に縁切りすることができる。これにより、汚れた浴槽水による框水栓８５からの逆流も防止できる。
【００３６】
図３は、実施の形態３に係る浴槽洗浄システムの一例を示す概略構成図である。この浴槽洗浄システムは、浴槽１と、洗浄ユニット４ｂと、湯張り及び給湯運転や、洗浄運転時に洗浄ユニット４ｂに湯水を供給するための給湯器６ａと、洗浄リモコン１０ｃとを備える。なお、実施の形態１または２と同一の構成については、同一の引用番号を使用して説明を省略する。
【００３７】
実施の形態３における洗浄ユニット４ｂは、実施の形態２の洗浄ユニット４ａと同様に、逆流防止部４７よりも上流側に湯水混合部８０を備える一方、上流側の第２湯水供給管６６ｃから分岐する湯張り用湯水供給管を備えておらず、逆流防止部４７と洗剤混合部５１との間に、流路切替部である切替電磁弁９１を備えている。より詳細には、切替電磁弁９１は、三方弁から構成され、入力側に下流側の湯水供給管６６ｂが接続され、出力側に洗剤混合部５１に接続された下流側の第３湯水供給管６６ｅと、循環金具５に接続された湯張り用湯水供給管６６ｆとが接続されており、ポンプ４８から送られてくる湯水を、洗剤混合部５１側と、循環金具５側とに切り替える。
【００３８】
次に、実施の形態３の浴槽洗浄システムにおける洗浄運転について説明する。実施の形態１と同様に、洗浄リモコン１０ｃで洗浄スイッチ（図示せず）がオン操作されると、排水栓２が開栓され、所定時間が経過すると、洗剤混合部５１側のみに湯水が供給されるように切替電磁弁９１の流路を切替え、補水用電磁弁４６を開弁させる。そして、給湯器６ａのガスバーナを点火させて給湯運転を開始させる。給湯運転が開始すると、湯水混合部８０において、温度センサ８３にて検知された湯水の温度が所定の温度となるように湯量調整弁８１及び水量調整弁８２の開度が調節されて、上流側の温調用給水管６３ａ、第１及び第２湯水供給管６６ａ，６６ｃを介してタンク４７０に所定の温度に調節された湯水が供給される。タンク４７０に湯水が供給された後の動作は、実施の形態１と同様である。
【００３９】
次に、実施の形態３の浴槽洗浄システムにおける湯張り運転について説明する。湯張り運転を実行する場合、洗浄リモコン１０ｃの湯張りスイッチ（図示せず）がオン操作されると、排水栓２が閉栓されるとともに、循環金具５側のみに湯水が供給されるように切替電磁弁９１の流路を切替え、補水用電磁弁４６を開弁させる。そして、上記と同様に、給湯器６ａで給湯運転が開始され、湯水混合部８０において、温度センサ８３にて検知された湯水の温度が所定の温度となるように湯量調整弁８１及び水量調整弁８２の開度が調節されて、湯張り用湯水供給管６６ｆから循環金具５に湯水が供給される。従って、実施の形態３の浴槽洗浄システムによれば、洗浄ノズル７や循環金具５から浴槽１内に供給される洗浄液や湯水の温度を適宜変更できるから、出湯温の温度変更機能を備えていない給湯器６ａを用いても、湯張り機能及び浴槽洗浄機能を備えた浴槽洗浄システムを構築できる。また、湯張り運転における湯水はポンプ４８によって供給されるため、給水圧に左右されず、低水圧地域においては給水圧による湯張りよりも高速に湯張りできる。
【００４０】
図４は、実施の形態４に係る浴槽洗浄システムの一例を示す概略構成図である。この浴槽洗浄システムは、浴槽１と、洗浄ユニット４ｃと、湯張り及び給湯運転や、洗浄運転時に洗浄ユニット４ｃに湯水を供給するための給湯器６ａと、洗浄リモコン１０ｃとを備える。なお、実施の形態１または２と同一の構成については、同一の引用番号を使用して説明を省略する。
【００４１】
実施の形態４における洗浄ユニット４ｃは、実施の形態２の洗浄ユニット４ａと同様に、逆流防止部４７よりも上流側に湯水混合部８０を備えており、湯水混合部８０と循環金具５とを接続する上流側の第２湯水供給管６６ｃから分岐する湯張り用湯水供給管６６ｄには、第２逆流防止部９５が設けられている。より詳細には、第２逆流防止部９５は、湯量センサ９６と、出湯開閉弁９７と、逆止弁９８と、大気開放弁９９とを備える。
【００４２】
実施の形態４の浴槽洗浄システムにおける洗浄運転及び湯張り運転は、実施の形態２と同様である。この実施の形態４の浴槽洗浄システムによれば、実施の形態２の浴槽洗浄システムの作用効果以外に、湯張り用湯水供給管６６ｄに第２逆流防止部９５が設けられているから、浴槽１に循環金具５が設けられていても、浴槽水の逆流を確実に防止できる。
【００４３】
図５は、実施の形態５に係る浴槽洗浄システムの一例を示す概略構成図である。この浴槽洗浄システムは、排水栓２のみを有する浴槽１ｂと、洗浄ユニット４ａと、湯張り及び給湯運転や、洗浄運転時に洗浄ユニット４ａに湯水を供給するための給湯器６ａと、洗浄リモコン１０ｃとを備える。なお、実施の形態１または２と同一の構成については、同一の引用番号を使用して説明を省略する。
【００４４】
実施の形態５における浴槽１ｂには、洗浄ノズル７が設けられておらず、洗浄管４３は、浴槽１ｂの上面よりも上方の洗浄ノズル７ａに接続されている。より詳細には、洗浄ノズル７ａは、浴槽１ｂの上面よりも上方に位置し、浴槽水との間に吐水口空間が形成されるように設けられている。これにより、洗浄液が噴射される下流端でも吐水口空間を利用した逆流防止手段が設けられるから、より確実に洗剤や浴槽水の逆流を防止できる。
【符号の説明】
【００４５】
１，１ａ，１ｂ  浴槽
２              排水栓
６，６ａ        給湯器
４１            洗剤タンク
４３            洗浄管
７，７ａ        洗浄ノズル
４７            逆流防止部
４７０          タンク
４７１          補水口
４７２          流出口
４７３          オーバーフロー口
４８            ポンプ
５１            洗剤混合部
【図１】
2018023471.tif 000003
【図２】
2018023471.tif 000004
【図３】
2018023471.tif 000005
【図４】
2018023471.tif 000006
【図５】
2018023471.tif 000007